(57)【要約】【課題】安定した回動で耐久性に優れ、強度的にも優れたヒンジ装置及びこれを用いた携帯電話機を提供する。【解決手段】筒状部材８内の一端部側に収納され、付勢手段１８に抗して軸方向に摺動自在にかつこの筒状部材と一体に回動する第１ディスク１６と、上記筒状部材内に上記第１ディスクと凹凸面同士が衝合して収納されかつこの筒状部材とは独立に回動する第２ディスク１４と、上記筒状部材の軸心部分に挿通され、この筒状部材の一端部側で軸支される軸体１２と、上記筒状部材の他端部側に固定され、上記軸体を回転可能に軸支する支持部材１０と、上記筒状部材の外部に設けられ、上記軸体を介して上記第２ディスクと一体に回動するフック４とを有し、筐体の本体部７４と開閉部７２との一方側に上記フック４を固定し、他方側に上記筒状部材８を固定して上記本体部と開閉部とを開閉可能に連結する。【選択図】  図１
2006064118.tif 000002
【特許請求の範囲】
【請求項１】
筒状部材内の一端部側に収納され、この筒状部材の内部に設けた付勢手段に抗して軸方向に摺動自在にかつこの筒状部材と一体に回動する第１ディスクと、
上記筒状部材内に上記第１ディスクと凹凸面同士が衝合して収納されかつこの筒状部材とは独立に回動するとともに、所定の回動位置において上記第１ディスクとの係合状態が維持される第２ディスクと、
上記筒状部材の軸心部分に挿通され、この筒状部材の一端部側で軸支される軸体と、
上記筒状部材の他端部側に固定され、上記軸体を回転可能に軸支する支持部材と、
上記筒状部材の外部に設けられ、上記軸体を介して上記第２ディスクと一体に回動するフックとを有し、
筐体の本体部と開閉部との一方側に上記フックを固定し、他方側に上記筒状部材を固定して上記本体部と開閉部とを開閉可能に連結するヒンジ装置。
【請求項２】
上記筒状部材の断面を正方形状に形成し、
上記第１ディスクの周囲を上記筒状部材の内部断面より僅かに小さく形成する一方、上記第２ディスクの周囲を円形に形成したことを特徴とする請求項１記載のヒンジ装置。
【請求項３】
上記第１ディスクに滑らかな斜面を有する凹部又は凸部を設ける一方、上記第２ディスクに滑らかな斜面を有する凸部又は凹部を設けて凹凸の係合構造を形成し、
上記開閉部の回動にともない上記凸部が上記付勢手段に抗して上記凹部から脱出し、
上記開閉部の開位置及び閉位置において、上記凸部が上記凹部に係合して上記開閉部が上記本体部に対して保持固定されることを特徴とする請求項１又は請求項２に記載のヒンジ装置。
【請求項４】
上記筒状部材の一端部側に円形の軸孔部を設け、この軸孔部に上記第２ディスクに設けられかつ上記軸体が挿通する筒状軸部を回転自在に突入させたことを特徴とする請求項１、２又は請求項３に記載のヒンジ装置。
【請求項５】
キー操作部を有する上記本体部又は表示部を有する上記開閉部の一方側に、請求項１乃至請求項４の何れかに記載のヒンジ装置の上記フックを固定する一方、他方側に上記筒状部材を固定し、上記本体部に対して上記開閉部を回動可能に連結したことを特徴とする電子機器。
【発明の詳細な説明】
【技術分野】
【０００１】
本発明は、ヒンジ装置及びこれを用いた折畳み式の電子機器に関する。
【背景技術】
【０００２】
折畳み式の携帯電話機の本体部と開閉部とを回動可能に連結するヒンジ装置として、例えば図９（ａ）に示すヒンジ装置８０が開示されている(特許文献１)。このヒンジ装置８０は、一のヒンジ部材８１と、このヒンジ部材８１に連結軸８２を介して回動可能に連結された他のヒンジ部材８３（当接部材８５、支持部材８６）とを有している。
【０００３】
上記一のヒンジ部材８１は円筒形をなし、その内部にはコイルばね８７によって付勢された可動部材８４が配置され、これと対向する他のヒンジ部材８３の当接部材８５との間でカム機構が形成され、両者は摺動移動し相対的な回動運動を行なう。また通常、両者間には潤滑材が充填され回動を円滑にしている。
【０００４】
この場合、上記一のヒンジ部材８１と他のヒンジ部材８３との間は、外部に露出した状態に配置されており、このため電子機器の使用環境の影響を受けやすく、塵埃等が付着してカム機構の滑らかさが失われ耐久性が損なわれることが懸念される。
【０００５】
これに対して、特許文献２には、ヒンジ装置９０が開示されている。このヒンジ装置９０は図９（ｂ）に示すように、軸体９１が回転可能に挿通された筒状のケース９２の内部にディスク部材９４とカム部材９６とを収納することで、カム機構部への塵の侵入が防止されてカム機構の円滑な動作が維持されるものである。
【０００６】
【特許文献１】特開２００１−１５２７２８公報
【特許文献２】特開２００３−１２０６５５公報
【発明の開示】
【発明が解決しようとする課題】
【０００７】
さて、上記ヒンジ装置９０は、上記軸体９１を介してカム部材９６と一体に回動するケース９２の開口部９３側の外部に、これと相対回動するストッパ９８及びフック９９を設ける形態である。この構造は、軸体９１の一端部であるケース９２の開口部９３側では、軸体９１が支持されないため強度的に安定せず、また軸体９１の正確な回転が確保できないという問題がある。
【０００８】
本発明は、上記問題点に鑑みてなされたものであり、安定した回動で耐久性に優れ、強度的にも優れたヒンジ装置及びこれを用いた携帯電話機を提供することを目的とする。
【課題を解決するための手段】
【０００９】
以上の技術的課題を解決するため、本発明に係るヒンジ装置は、図１に示すように、筒状部材８内の一端部側に収納され、この筒状部材の内部に設けた付勢手段１８に抗して軸方向に摺動自在にかつこの筒状部材と一体に回動する第１ディスク１６と、上記筒状部材内に上記第１ディスクと凹凸面同士が衝合して収納されかつこの筒状部材とは独立に回動するとともに、所定の回動位置において上記第１ディスクとの係合状態が維持される第２ディスク１４と、上記筒状部材の軸心部分に挿通され、この筒状部材の一端部側で軸支される軸体１２と、上記筒状部材の他端部側に固定され、上記軸体を回転可能に軸支する支持部材１０と、上記筒状部材の外部に設けられ、上記軸体を介して上記第２ディスクと一体に回動するフック４とを有し、筐体の本体部７４と開閉部７２との一方側に上記フック４を固定し、他方側に上記筒状部材８を固定して上記本体部と開閉部とを開閉可能に連結する構成である。
【００１０】
また本発明に係るヒンジ装置は、上記筒状部材８の断面を正方形状に形成し、上記第１ディスクの周囲を上記筒状部材の内部断面より僅かに小さく形成する一方、上記第２ディスクの周囲を円形に形成した構成である。
【００１１】
本発明に係るヒンジ装置は、上記第１ディスク１６に滑らかな斜面を有する凹部又は凸部を設ける一方、上記第２ディスク１４に滑らかな斜面を有する凸部又は凹部を設けて凹凸の係合構造を形成し、上記開閉部の回動にともない上記凸部が上記付勢手段に抗して上記凹部から脱出し、上記開閉部の開位置及び閉位置において、上記凸部が上記凹部に係合して上記開閉部が上記本体部に対して保持固定される構成である。
【００１２】
本発明に係るヒンジ装置は、上記筒状部材の一端部側に円形の軸孔部３３を設け、この軸孔部に上記第２ディスクに設けられかつ上記軸体が挿通する筒状軸部４３を回転自在に突入させた構成である。
【００１３】
本発明に係る電子機器は、キー操作部を有する上記本体部７４又は表示部を有する上記開閉部７２の一方側に、上記何れかに記載のヒンジ装置の上記フック４を固定する一方、他方側に上記筒状部材８を固定し、上記本体部に対して上記開閉部を回動可能に連結した構成である。
【発明の効果】
【００１４】
以上説明したように、本発明に係るヒンジ装置によれば、筒状部材と一体に回動する第１ディスクと、第１ディスクとの係合状態が維持される第２ディスクと、筒状部材の一端部側で軸支される軸体と、筒状部材の他端部側に固定され、軸体を回転可能に軸支する支持部材と、記筒状部材の外部に設けられ第２ディスクと一体に回動するフックとを有する構成を採用したから、軸体は筒状部材の両側で軸支されていることから、正確かつ安定した回動が行なわれまた構造的にも強固であり、併せて塵の侵入が防止されてカム機構の円滑な動作が維持されかつ潤滑材の洩れが防止され耐久性にも優れるという効果を奏する。
【００１５】
また、本発明に係るヒンジ装置によれば、筒状部材の断面を正方形状に形成したから、回動による負荷がバランス良く筐体に加わり、筐体への固定が安定し耐久性にも優れ、また無駄なく部材が収納できてヒンジ装置の小型化が図れるという効果がある。
【００１６】
また、本発明に係るヒンジ装置によれば、第１ディスクに滑らかな斜面を有する凹部又は凸部を設ける一方、第２ディスクに滑らかな斜面を有する凸部又は凹部を設けて凹凸の係合構造を形成したから、カム機構の係合が滑らかに行なえ良好な操作性が得られるという効果がある。
【００１７】
また、本発明に係るヒンジ装置によれば、筒状部材の一端部側の軸孔部に第２ディスクに設けた筒状軸部を回転自在に突入させた構成としたから、第２ディスクの回動が安定しまた軸体は筒状部材の両側において確実に軸支されるので筒状軸部に対して正確かつ安定した回動が行なわれ、軸体よりも径が大きく形成できて構造的にも強固であり耐久性にも優れるという効果がある。
【００１８】
本発明に係る電子機器によれば、キー操作部を有する本体部又は表示部を有する開閉部の一方側に、何れかのヒンジ装置のフックを固定する一方、他方側に筒状部材を固定し、本体部に対して開閉部を回動可能に連結した構成を採用したから、軸体は筒状部材の両側で軸支されていることから、筒状軸部に対して正確かつ安定した回動が行なわれ、また構造的にも強固であり、加えて塵の侵入を防止してカム機構の円滑な動作が維持されて耐久性が高められ、また潤滑材の洩れが防止され電子機器を汚すこともないという効果を奏する。
【発明を実施するための最良の形態】
【００１９】
以下、本発明の実施の形態を図面に基づいて説明する。
図１は、実施の形態に係り、折畳式の携帯電話機等の電子機器に用いられるヒンジ装置２の分解斜視図を示したものである。このヒンジ装置２は同図に示すように、フック４、ピン６、ワッシャ７、筒状部材８、第２ディスク１４、第１ディスク１６、コイルバネ１８、支持部材１０、軸体１２及びキャップ１１で構成される。ヒンジ装置２の外観は、主にフック４、筒状部材８、支持部材１０及びキャップ１１で構成され、この筒状部材８内には奥から順に、第２ディスク１４、第１ディスク１６及びコイルバネ１８が収納される。
【００２０】
上記フック４及び支持部材１０はＰＯＭ、ＡＢＳ等の合成樹脂製、軸体１２はＳＰＣＣ又はアルミニウム等の金属製、コイルバネ１８は鋼材からなる。上記ピン６、ワッシャ７、筒状部材８はＳＵＳ（ステンレス）又は鋼などの金属製からなる。また、第１ディスク１６、第２ディスク１４はＳＵＳ、ＳＫＤ（金属工具鋼）又はＳＰＣＣ等の材料からなる。
【００２１】
ここで各構成部材について説明する。上記フック４は、図２に示すように、断面矩形状の基部２４の上下の各部位から外向きに２本の係止爪２６が突出形成され、基部２４の中心部には、軸方向に向けて断面小判状の係合孔２７が設けられている。また、基部２４には軸方向と直交する向きに挿通孔２８が設けられ、基部２４の後部には円弧状に膨出した係合凸部２９が形成されている。ピン６は円柱状で、上記挿通孔２８に嵌入可能である。ワッシャ７は円板状で、中央部に小判状の係合孔３０が設けられている。
【００２２】
上記筒状部材８は図３に示すように、正四角形状の筒部３１を有する容器形状であり、この筒部３１の各角部は円弧状に形成されている。筒状部材８の一端側の底部３２には、中心部に円形の軸孔部３３が設けられ、また他端側には開放口３４が形成されている。この開放口３４の周囲部の中心対称な位置には、それぞれ矩形状に切り込んだ凹部３６が形成され、この凹部３６から中心角度が９０°の位置にも同様な凹部３６が設けられている。
この筒部３１を正四角形状とすることで、無駄なく各部材を収納しヒンジ装置のコンパクト化を図っている。なお、この筒状部材８の筒部の断面は上記正四角形状以外に、小判状などの形態を採用することは可能である。
【００２３】
上記第２ディスク１４は図４に示すように、外周が円形に形成された円板状の基部４２を有し、この基部４２の中央には断面小判状の係合孔４４が軸方向に設けられている。この中空の基部４２の中央部からは筒状軸部４３が突出形成され、上記係合孔４４は基部４２から筒状軸部４３にかけて連続的かつ同形状に形成されている。また、上記基部４２の一方の板面には係合孔４４を挟んだ中心対称な各部位にそれぞれ係合凸部４６が形成されている。これらの係合凸部４６は、周方向の左右の側面４７が谷部４５から傾斜して形成される略台形状であり、かつこの断面は半径方向外側に向かうに従って徐々に扇状に広がる形態である。
【００２４】
上記第１ディスク１６は図５に示すように、正四角板状の基部４９を有し、この基部４９の各角部は円弧状の丸みが形成されている。この基部４９の外形は、上記筒状部材８の筒部３１の内断面と略同形であり、基部４９の外形が僅かに小さく形成されている。また、基部４９の中央には円形の孔部４８が設けられている。
【００２５】
この第１ディスク１６の一方側の板面には、孔部４８を挟んだ中心対称位置にそれぞれ係合凹部５０が形成され、これら係合凹部５０間には平坦な案内路５２が形成されている。上記係合凹部５０の両側面は、すり鉢状に傾斜したテーパ面５１が形成され、このため係合凹部５０は、周方向の断面が略逆台形状であり、かつこの断面は半径方向外側に向かうに従って徐々に扇状に広がる形態である。
【００２６】
なお、上記第２ディスク１４の係合凸部４６に代えて、球体を第２ディスク１４に埋設しその一部を突出させて係合凸部を形成し、一方上記第１ディスク１６の係合凹部５０を上記球体の半径よりも大きな半径の凹球面状に形成した係合凹部とした形態も可能である。
【００２７】
図１に示すように上記コイルバネ１８は圧縮ばねであり、上記第１ディスク１６を押圧し、これと向い合せの第２ディスク１４とを衝合する方向に付勢する。上記軸体１２は、円板状の頭部５４と軸部５６からなる。この軸部５６の頭部５４寄りの部位には断面が円形状の円柱部５９が形成され、また軸部５６の先端側には、上記円柱部５９と同一半径の円弧部からなり断面が小判状の係合軸部５８が形成されている。また、上記係合軸部５８の先端近傍に、軸と直交する向きに挿通孔６０が設けられている。
【００２８】
上記支持部材１０は図６に示すように、正四角板状の基部６２を有し、この基部６２には外形が少し縮径された突入凸部６５が中央寄りに形成されている。そして、基部６２の中央には円形の軸孔部６４が設けられ、基部６２の周囲部の中心対称な位置にそれぞれ係止凸部６６が形成され、この係止凸部６６から中心角度が９０°の位置にも同様な係止凸部６６が設けられている。また、基部６２には軸孔部６４と同一内径で、環状に突出した環状凸部６３が形成されている。上記キャップ１１は円板状で、軸方向と直交する向きに凹部状に切り込んだ溝部６８が形成されている。
【００２９】
上記ヒンジ装置２は図７に示すように組み立てられ、軸体１２に嵌めた第２ディスク１４、第１ディスク１６、コイルバネ１８及び支持部材１０を第２ディスク１４を先頭に筒状部材８内に収納する。そして、筒状部材８の開放口３４に支持部材１０の突入凸部６５を突入させ、この支持部材１０の係止凸部６６をそれぞれ筒状部材８の凹部３６にはめ込む。一方、筒状部材８の軸孔部３３から突出した軸体１２の係合軸部５８にワッシャ７の係合孔３０、及びフック４の係合孔２７を嵌め込み係合させる。
【００３０】
この状態で、筒状部材８内に第２ディスク１４、第１ディスク１６及びコイルバネ１８が収納され、支持部材１０により筒状部材８の開放口３４が閉じられる。さらに、コイルバネ１８に抗して軸体１２とともに支持部材１０を筒状部材８方向へ押込み、支持部材１０の係止凸部６６を筒状部材８の凹部３６と係合させた状態で軸方向に移動させる。そして、ピン６をフック４の挿通孔２８及び軸体１２の挿通孔６０に挿通して止着し、各部材を組み付ける。これにより、上記支持部材１０は筒状部材８の開放口３４に突入凸部６５が嵌入した状態で固定される。また上記ピン６は、その両端部をフック４から少し突出する形態としており、これによりピン６の突出部分が、筐体の穴部に係合してフック４の移動を規制する。
【００３１】
一方、筒状部材８の底部３２に設けられた軸孔部３３には、第２ディスク１４の筒状軸部４３が回転自在に挿通し、併せて軸体１２が軸支される。また、上記軸体１２の頭部５４寄りの軸部５６は、上記筒状部材８の開放口３４に固定された支持部材１０の軸孔部６４に軸支される。これにより、軸体１２は筒状部材８の両側で軸支される。
【００３２】
このように、軸体１２は筒状部材８の両側において確実に軸支される構造であり、軸体１２及びこれと一体に回動する第２ディスク１４は、筒状軸部４３に対して正確かつ安定した回動が行なわれる。また、軸体１２が筒状部材８の両側で支持されているため、構造的にも強固でありまた耐久性にも優れる。このため、コイルバネ１８についても弾性力の強いものが使用でき、開閉する筐体においてこのヒンジ装置２を１個のみ使用した場合であっても十分な回動トルクが得られる。なお、筒状部材８の底部３２に軸孔部を設けて、この軸孔部に上記軸体１２を直接軸支させる構成を採用することもでき、この場合、第２ディスク１４の筒状軸部４３は不要である。
【００３３】
そして、上記軸体１２の断面小判状の係合軸部５８が、第２ディスク１４の係合孔４４、ワッシャ７の係合孔３０及びフック４の係合孔２７と係合し、これによりフック４、ワッシャ７及び第２ディスク１４は軸体１２と一体に回動する。また、第２ディスク１４の基部４２は外周が円形に形成されており、第２ディスク１４は筒状部材８内においてフリー回転自在である。
【００３４】
一方、軸体１２には、筒状部材８の軸孔部３３、第１ディスク１６及び支持部材１０が回転自在に挿通しており、このため筒状部材８、第１ディスク１６及び支持部材１０は軸体１２の回転に対してフリーな状態におかれる。また、第１ディスク１６は筒状部材８に内嵌され、軸方向には移動自在で且つ回転不能であるので第１ディスク１６と筒状部材８とは一体に回動する。
【００３５】
また、コイルバネ１８により、第１ディスク１６は常に第２ディスク１４方向に付勢され、第２ディスク１４の係合凸部４６と第１ディスク１６の係合凹部５０とは衝合かつ係合してカム機構が形成される。したがってこのヒンジ装置２は、上記カム機構を介して筒状部材８とフック４とが相対回動するヒンジ機構を構成する。また、軸体１２の頭部５４は支持部材１０の環状凸部６３に当接しており、この頭部５４の外径は環状凸部６３より外径が小さく形成されていることから、上記頭部５４に軸方向と直交する向きに上記キャップ１１の溝部６８を差し込んで装着する。
【００３６】
上記ヒンジ装置２が取付けられる折畳式の携帯電話機７０は、図８に示すように表示画面７１等が設けられた開閉部７２と、操作キー７３等が設けられた本体部７４とを有している。このヒンジ装置２は、コイルバネ１８のばね力の強化により１個使いが可能であり、このため通常、ヒンジ装置２は携帯電話機の本体部７４と開閉部７２の左右の連結部の一方側に取り付け、他方側は軸と軸受からなる支持機構を設ける。
【００３７】
上記のヒンジ装置２をこの携帯電話機７０に取り付ける場合には、筐体の外側からヒンジ装置２をフック４を先にして差し込み、内側の開閉部７２に設けたヒンジ装着用の穴部７５にフック４の係止爪２６を係止させるとともに、フック４を回動不能に嵌合固定する。このとき、フック４の係合凸部２９及びピン６の突出部分がストッパの役割を果たす。上記穴部７５には矩形状の２つの窓部が形成され、各窓部にそれぞれフック４の係止爪２６が係止される。一方、本体部７４に設けた断面正方形状の筒状部７６にヒンジ装置２の筒部３１を回動不能に嵌合固定し、本体部７４と開閉部７２とを開閉自在に連結する。このとき、ヒンジ装置２の筒部３１は断面が正方形状であるため、回動による負荷がバランス良く上記筒状部７６に加わり、固定が安定し耐久性にも優れる。
【００３８】
上記ヒンジ装置２を装着した携帯電話機７０は、開閉部７２を手で開くと、上記カム機構が作動する。このときフック４とともに第２ディスク１４が回動し、第２ディスク１４の係合凸部４６は第１ディスク１６の係合凹部５０から抜け出し、第１ディスク１６の案内路５２を摺動移動して他の係合凹部５０に向けて移動する。第２ディスク１４の回動とともに第２ディスク１４の係合凸部４６は、他の係合凹部５０方向に移動する。やがて開閉部７２の開角度が略１６０°の位置で開閉部７２の展開が終了するとき、上記係合凸部４６は他の係合凹部５０に係合する。このとき、上記係合凸部４６は他の係合凹部５０に侵入途中の吸い込み状態となり、同時に開閉部７２と本体部７４の筐体同士が当接して回動が停止される。
【００３９】
このような、第１ディスク１６と第２ディスク１４との間のカム動作は、筒状部材８の内部で行われ、このカム機構の衝合箇所に潤滑材を充填することで、よりカム機構の動作が滑らかになる。また係合の際、コイルバネ１８の付勢力により、第２ディスク１４の係合凸部４６が係合凹部５０のテーパ面５１を滑り落ち、係合凸部４６の係合凹部５０への進入に勢いが付加されて吸い込み感とともにクリック感が得られる。このクリック感は、開閉部７２の開閉が終了する時に得られ、開閉部７２の開閉にメリハリ感を与える。
【００４０】
開閉部７２の閉操作時には、開閉部７２の閉移動とともに第２ディスク１４は回動し、係合凸部４６は他の係合凹部５０の係合から抜け出し元の係合凹部５０の方向に移動する。上記係合凸部４６が元の係合凹部５０に係合するとき上記開時と同様に勢いが増し、吸い込み感、クリック感とともに開閉部７２が閉塞する。このとき、係合凸部４６は係合凹部５０への侵入途中の吸い込み状態となり、この状態により開閉部７２が閉塞した状態で保持固定される。
【００４１】
従って上記実施の形態に係るヒンジ装置２を用いた携帯電話機によれば、軸体は筒状部材の両側で軸支されていることから、筒状軸部に対して正確かつ安定した回動が行なわれ、また構造的にも強固であり、加えてカム機構としての第２ディスクと第１ディスクを筒状部材の奥内部に配置したから、塵の侵入が防止されてカム機構の円滑な動作が維持され、カム機構の耐久性が高められる。またカム機構は筒状部材内に収納されているので、カム機構に充填される潤滑材が良好に保持されるとともに潤滑材の洩れが防止され、携帯電話機を汚すこともない。
【図面の簡単な説明】
【００４２】
【図１】本発明の実施の形態に係るヒンジ装置の分解斜視図を示す図である。
【図２】ヒンジ装置のフックにつき、（ａ）は側面を、（ｂ）はＡ−Ａ線断面を、（ｃ）は平面を示す図である。
【図３】ヒンジ装置の筒状部材につき、（ａ）は正面を、（ｂ）はＢ−Ｂ線断面を、（ｃ）は側面を示す図である。
【図４】ヒンジ装置の第２ディスクにつき、（ａ）は側面を、（ｂ）はＣ−Ｃ線断面を、（ｃ）は正面を、（ｄ）は平面を、（ｅ）は他の側面を示す図である。
【図５】ヒンジ装置の第１ディスクにつき、（ａ）は側面を、（ｂ）は平面を示す図である。
【図６】ヒンジ装置の支持部材につき、（ａ）は側面を、（ｂ）は正面を、（ｃ）は他の側面を、（ｄ）はＤ−Ｄ線断面を示す図である。
【図７】実施の形態に係るヒンジ装置の、（ａ）は側面を、（ｂ）は正面を、（ｃ）は他の側面を、（ｄ）はＥ−Ｅ線断面を示す図である。
【図８】実施の形態に係るヒンジ装置を用いた電子機器を示す図である。
【図９】従来例に係り、（ａ）は一のヒンジ装置の断面を、（ｂ）は他のヒンジ装置の断面を示す図である。
【符号の説明】
【００４３】
４  フック
８  筒状部材
１０  支持部材
１２  軸体
１４  第２ディスク
１６  第１ディスク
１８  付勢手段（コイルバネ）
３３  軸孔部
４３  筒状軸部
７２  開閉部
７４  本体部
【図１】
2006064118.tif 000003
【図２】
2006064118.tif 000004
【図３】
2006064118.tif 000005
【図４】
2006064118.tif 000006
【図５】
2006064118.tif 000007
【図６】
2006064118.tif 000008
【図７】
2006064118.tif 000009
【図８】
2006064118.tif 000010
【図９】
2006064118.tif 000011